(57)【要約】【課題】  アプリケーションの利用登録における登録情報の入力操作等を簡易にする登録処理システム及び２次元コード作成装置を提供する。【解決手段】  携帯電話機１０は、初期設定用２次元コードから登録情報を抽出する登録情報抽出手段１３と、入力操作により登録処理対象者の認証情報を取得する認証情報取得手段１４と、登録情報と認証情報をアプリケーションサーバ２０に対し送信して利用登録要求を行う利用登録要求手段１５とを備え、アプリケーションサーバ２０は、携帯電話機１０から利用登録要求があった場合に、携帯電話機１０から登録情報及び認証情報を取得して登録処理を行う登録処理手段２３と、携帯電話機１０からアプリケーション２１に対するアクセス要求があった場合に、携帯電話機１０から認証情報を取得して携帯利用者を認証する認証手段２４と、認証された携帯利用者にアプリケーション２１の実行を許可する制御手段２５を備えて構成される。【選択図】        図１
2008191733.tif 000002
【特許請求の範囲】
【請求項１】
利用登録された登録者の携帯電話機において利用可能な所定のアプリケーションを実行可能なアプリケーションサーバと、
２次元コードの読み込みを行う２次元コード読み込み手段と、前記アプリケーションサーバにアクセス可能なデータ通信手段を備えた１または複数の携帯電話機と、を備える登録処理システムであって、
前記携帯電話機は、
前記２次元コード読み込み手段により、前記アプリケーションについて利用登録されていない登録処理対象者を利用登録するために必要な前記登録処理対象者に固有の登録情報を含む初期設定用２次元コードが読み込まれた場合に、前記初期設定用２次元コードから前記登録情報を抽出する登録情報抽出手段と、
前記２次元コード読み込み手段において前記初期設定用２次元コードが読み込まれた場合に、入力操作により、前記アプリケーションサーバにおいて前記登録処理対象者を認証するための前記登録処理対象者に固有の認証情報を取得する認証情報取得手段と、
前記アプリケーションサーバに前記データ通信手段を用いてアクセスし、前記登録情報抽出手段が前記初期設定用２次元コードから抽出した前記登録情報と前記認証情報取得手段が取得した前記認証情報を、前記アプリケーションサーバに対し送信して利用登録要求を行う利用登録要求手段と、を備えて構成され、
前記アプリケーションサーバは、
前記アプリケーション別に、前記アプリケーションを利用可能な前記登録者の前記登録情報及び前記認証情報を記憶した登録認証情報記憶手段と、
前記登録処理対象者の前記携帯電話機から前記アプリケーションに対する利用登録要求があった場合に、前記利用登録要求を行った前記携帯電話機から前記登録処理対象者の前記登録情報及び前記認証情報を取得し、取得した前記登録情報及び前記認証情報を用いて前記登録処理対象者の登録処理を行う登録処理手段と、
前記携帯電話機から前記アプリケーションに対するアクセス要求があった場合に、前記携帯電話機の携帯利用者の前記認証情報を取得し、取得した前記認証情報に基づいて前記登録認証情報記憶手段を検索して前記携帯利用者が利用登録されているか否かを判定し、登録されている場合に前記携帯利用者を認証する認証手段と、
前記認証手段により前記携帯利用者が認証された場合に、前記アプリケーションの実行を許可する制御手段と、を備えて構成されることを特徴とする登録処理システム。
【請求項２】
前記登録情報は、前記登録処理対象者に固有のＩＤ、所属情報の内の少なくとも何れか１つを含み、
前記認証情報は、前記登録処理対象者に固有のパスワードであることを特徴とする請求項１に記載の登録処理システム。
【請求項３】
前記初期設定用２次元コードは、前記アプリケーションサーバにアクセスするためのＵＲＬ情報を含み、
前記携帯電話機の前記登録情報抽出手段は、前記初期設定用２次元コードから前記ＵＲＬ情報を取得して前記携帯電話機に登録し、
前記携帯電話機の前記データ通信手段は、前記ＵＲＬ情報が示すアドレスに基づいて前記アプリケーションサーバにアクセスすることを特徴とする請求項１または２に記載の登録処理システム。
【請求項４】
請求項１乃至請求項３の何れか１項に記載の登録処理システムで用いる前記初期設定用２次元コードを作成する２次元コード作成装置であって、
前記登録処理システムを利用可能なシステム利用者毎に、前記システム利用者の前記登録情報を含むシステム利用者情報を入力する利用者情報入力手段と、
前記システム利用者を認証する認証手段と、
入力操作により、認証された前記システム利用者の前記初期設定用２次元コードの作成要求があった場合に、前記利用者情報入力手段から前記システム利用者の前記システム利用者情報を取得して、登録処理を行う前記アプリケーションまたは前記アプリケーションサーバにおける前記システム利用者の前記登録情報を生成する登録情報生成手段と、
前記システム利用者の前記登録情報を少なくとも含む前記初期設定用２次元コードを作成する２次元コード作成手段と、を備えることを特徴とする２次元コード作成装置。
【請求項５】
前記２次元コード作成手段は、前記システム利用者の前記登録情報に加え、前記アプリケーションサーバの前記アプリケーションにアクセスするためのＵＲＬ情報を含む前記初期設定用２次元コードを作成することを特徴とする請求項４に記載の２次元コード作成装置。
【発明の詳細な説明】
【技術分野】
【０００１】
本発明は、携帯電話機上で利用可能な所定のアプリケーションについて登録処理対象者の登録処理を行う登録処理システム、及び、該登録処理システムで利用する２次元コード作成装置に関する。
【背景技術】
【０００２】
近年、携帯電話機には、搭載されたＣＣＤ（Ｃｈａｒｇｅ  Ｃｏｕｐｌｅｄ  Ｄｅｖｉｃｅ）カメラやＣＭＯＳカメラ等の撮像機能を利用して２次元コードを読み込む２次元コード読み込み手段を備えるものが多く、該２次元コード読み込み手段を利用した様々な技術が提案されている。
【０００３】
２次元コードを利用した技術には、例えば、利用者の本人確認のために必要な認証情報と利用者がサービスの提供を受けるために必要なサービス情報（クーポンやチケット、会員証等を含む）を含む２次元コードを作成・提供する２次元コード配信サーバと、該２次元コード配信サーバから配信された２次元コードを表示する２次元コード表示手段を備えた携帯電話機等の端末装置と、端末装置の表示手段に表示された２次元コードを読み取り、読み取った２次元コードから認証情報とサービス情報を抽出して、認証情報に基づき端末装置の利用者の認証を行い、認証された利用者に対しサービス情報に基づいてサービスを提供する店舗端末装置と、を備える２次元コード利用者認証システムがある（例えば、特許文献１参照）。この２次元コード利用者認証システムでは、２次元コードに、サービス情報と共に、利用者がサービスの提供を受ける際に必要な本人確認のための認証情報を含ませることで、該２次元コードの不正コピー等の不正利用を防止することを目的としている。
【０００４】
【特許文献１】特開２００６−４８３９０号公報
【発明の開示】
【発明が解決しようとする課題】
【０００５】
ところで、特許文献１に記載の２次元コード利用者認証システムのように、利用登録された利用者に対しサービスを提供するシステムでは、利用者が、予め利用登録を行う必要がある。しかし、一般的に、携帯電話機の操作性は、パーソナルコンピュータ等の操作性に比べ相当劣ることから、携帯電話機を操作して登録情報を入力するのは非常に手間及び時間がかかる。登録情報としては、利用者に固有のＩＤやパスワード、企業等における所属情報等が考えられ、特に、登録情報の情報量が多いアプリケーションでは、利用登録時の登録情報の入力に、相当手間及び時間がかかることとなる。
【０００６】
本発明は上記の問題に鑑みてなされたものであり、その目的は、アプリケーションの利用登録において、利用登録の対象となる登録処理対象者の登録情報の入力操作等を簡易にする登録処理システムを提供する点にある。また、該登録処理システムで利用する２次元コード作成装置を提供する。
【課題を解決するための手段】
【０００７】
上記目的を達成するための本発明に係る登録処理システムは、利用登録された登録者の携帯電話機において利用可能な所定のアプリケーションを実行可能なアプリケーションサーバと、２次元コードの読み込みを行う２次元コード読み込み手段と、前記アプリケーションサーバにアクセス可能なデータ通信手段を備えた１または複数の携帯電話機と、を備える登録処理システムであって、前記携帯電話機は、前記２次元コード読み込み手段により、前記アプリケーションについて利用登録されていない登録処理対象者を利用登録するために必要な前記登録処理対象者に固有の登録情報を含む初期設定用２次元コードが読み込まれた場合に、前記初期設定用２次元コードから前記登録情報を抽出する登録情報抽出手段と、前記２次元コード読み込み手段において前記初期設定用２次元コードが読み込まれた場合に、入力操作により、前記アプリケーションサーバにおいて前記登録処理対象者を認証するための前記登録処理対象者に固有の認証情報を取得する認証情報取得手段と、前記アプリケーションサーバに前記データ通信手段を用いてアクセスし、前記登録情報抽出手段が前記初期設定用２次元コードから抽出した前記登録情報と前記認証情報取得手段が取得した前記認証情報を、前記アプリケーションサーバに対し送信して利用登録要求を行う利用登録要求手段と、を備えて構成され、前記アプリケーションサーバは、前記アプリケーション別に、前記アプリケーションを利用可能な前記登録者の前記登録情報及び前記認証情報を記憶した登録認証情報記憶手段と、前記登録処理対象者の前記携帯電話機から前記アプリケーションに対する利用登録要求があった場合に、前記利用登録要求を行った前記携帯電話機から前記登録処理対象者の前記登録情報及び前記認証情報を取得し、取得した前記登録情報及び前記認証情報を用いて前記登録処理対象者の登録処理を行う登録処理手段と、前記携帯電話機から前記アプリケーションに対するアクセス要求があった場合に、前記携帯電話機の携帯利用者の前記認証情報を取得し、取得した前記認証情報に基づいて前記登録認証情報記憶手段を検索して前記携帯利用者が利用登録されているか否かを判定し、登録されている場合に前記携帯利用者を認証する認証手段と、前記認証手段により前記携帯利用者が認証された場合に、前記アプリケーションの実行を許可する制御手段と、を備えて構成されることを第１の特徴とする。
【０００８】
上記特徴の登録処理システムによれば、初期設定用２次元コードから登録情報を抽出し、抽出した登録情報を携帯電話機から利用登録対象のアプリケーションに送信して、該アプリケーション対する利用登録を行うように構成したので、携帯電話機における登録情報の入力操作を無くして、登録情報の入力操作にかかる手間及び時間を低減することが可能になる。また、上記特徴の登録処理システムでは、アプリケーションサーバを、登録情報（例えば、ＩＤや企業等における所属情報等）と認証情報（例えば、パスワード等）の２つの情報を利用して登録処理を行うように構成したので、初期設定用２次元コードが不正コピー等されて不正利用者に流出した場合でも、認証情報が正確でなければ利用登録されないため、不正利用等を効果的に防止して、アプリケーションサーバの不正利用等に対する安全性を高めることができる。更に、上記特徴の登録処理システムによれば、認証情報は、入力操作により取得するように構成したので、認証情報が初期設定用２次元コードと同時に外部に流出する可能性を低減でき、安全性を高めることができる。
【０００９】
上記特徴の本発明に係る登録処理システムは、前記登録情報は、前記登録処理対象者に固有のＩＤ、所属情報の内の少なくとも何れか１つを含み、前記認証情報は、前記登録処理対象者に固有のパスワードであることを第２の特徴とする。
【００１０】
上記特徴の登録処理システムによれば、登録情報として、登録処理対象者自身による変更が比較的困難で変更頻度が相対的に少ないと考えられる登録処理対象者に固有のＩＤや企業等における登録処理対象者の所属情報を設定し、認証情報として、登録処理対象者自身による変更が比較的容易であり変更頻度が相対的に多いと考えられ、且つ、比較的入力操作が容易に行えると考えられる登録処理対象者に固有のパスワードを設定し、認証情報をアプリケーション起動時毎に入力するように構成したので、登録処理における入力操作にかかる手間及び時間をおさえることができ、アプリケーションサーバの不正利用等に対する安全性を高めることができる。
【００１１】
上記何れかの特徴の本発明に係る登録処理システムは、前記初期設定用２次元コードは、前記アプリケーションサーバにアクセスするためのＵＲＬ情報を含み、前記携帯電話機の前記登録情報抽出手段は、前記初期設定用２次元コードから前記ＵＲＬ情報を取得して前記携帯電話機に登録し、前記携帯電話機の前記データ通信手段は、前記ＵＲＬ情報が示すアドレスに基づいて前記アプリケーションサーバにアクセスすることを第３の特徴とする。
【００１２】
上記特徴の登録処理システムによれば、初期設定用２次元コードにＵＲＬ情報を含ませるので、携帯電話機におけるＵＲＬ情報の入力操作を無くすことができる。一般的に、ＵＲＬの入力を携帯電話機で行うには、非常に手間及び時間がかかることから、本発明の如く、ＵＲＬ情報を初期設定用２次元コードに含ませる構成にすることで、登録処理にかかる手間及び時間を低減できる。
【００１３】
上記目的を達成するための本発明に係る２次元コード作成装置は、第１乃至第３の何れかの特徴の登録処理システムで用いる前記初期設定用２次元コードを作成する２次元コード作成装置であって、前記登録処理システムを利用可能なシステム利用者毎に、前記システム利用者の前記登録情報を含むシステム利用者情報を入力する利用者情報入力手段と、前記システム利用者を認証する認証手段と、入力操作により、認証された前記システム利用者の前記初期設定用２次元コードの作成要求があった場合に、前記利用者情報入力手段から前記システム利用者の前記システム利用者情報を取得して、登録処理を行う前記アプリケーションまたは前記アプリケーションサーバにおける前記システム利用者の前記登録情報を生成する登録情報生成手段と、前記システム利用者の前記登録情報を少なくとも含む前記初期設定用２次元コードを作成する２次元コード作成手段と、を備えることを第１の特徴とする。
【００１４】
上記特徴の２次元コード作成装置によれば、第１乃至第３の何れかの特徴の登録処理システムで用いる初期設定用２次元コードを作成するように構成したので、特に、携帯電話機より操作性のよいパーソナルコンピュータ等に本発明を適用することで、登録情報の入力操作にかかる手間及び時間を低減することが可能になる。
【００１５】
上記特徴の本発明に係る２次元コード作成装置は、前記２次元コード作成手段は、前記システム利用者の前記登録情報に加え、前記アプリケーションサーバの前記アプリケーションにアクセスするためのＵＲＬ情報を含む前記初期設定用２次元コードを作成することを第２の特徴とする。
【００１６】
上記特徴の２次元コード作成装置によれば、初期設定用２次元コードに登録処理にかかるアプリケーションにアクセスするためのＵＲＬ情報を含ませるので、携帯電話機においてＵＲＬを入力する必要が無くなり、登録処理にかかる手間及び時間を低減することが可能になる。
【発明を実施するための最良の形態】
【００１７】
以下、本発明に係る登録処理システム及び２次元コード作成装置（以下、適宜「本発明システム」、「本発明装置」と略称する）の実施形態を図面に基づいて説明する。
【００１８】
〈第１実施形態〉
本発明システム及び本発明装置の第１実施形態について図１乃至図４を基に説明する。
【００１９】
先ず、本発明システム及び本発明装置の構成について図１を基に説明する。ここで、図１は、本発明システム１及び本発明装置３０の概略構成を示すブロック図である。
【００２０】
本発明システム１は、図１に示すように、利用登録された登録者の携帯電話機１０において利用可能な所定のアプリケーション２１を実行可能なアプリケーションサーバ２０、及び、２次元コードの読み込みを行う２次元コード読み込み手段１１とアプリケーションサーバ２０にアクセス可能なデータ通信手段１２を備えた１または複数の携帯電話機１０を備えて構成される。尚、本実施形態では、アプリケーションサーバ２０は、所定の企業内に設置され、該企業の従業員等の利用を許可された利用者等に対して、所定のアプリケーション２１を提供する場合を想定して説明する。同様に、携帯電話機１０は、アプリケーションサーバ２０内のアプリケーション２１の利用を許可された利用者が所有する携帯電話機を想定して説明する。
【００２１】
携帯電話機１０は、図１に示すように、上述した２次元コード読み込み手段１１及びデータ通信手段１２に加え、２次元コード読み込み手段１１により、アプリケーション２１について利用登録されていない登録処理対象者を利用登録するために必要な登録処理対象者に固有の登録情報を含む初期設定用２次元コードが読み込まれた場合に、初期設定用２次元コードから登録情報を抽出する登録情報抽出手段１３と、２次元コード読み込み手段１１において初期設定用２次元コードが読み込まれた場合に、入力操作により、アプリケーションサーバ２０において登録処理対象者を認証するための登録処理対象者に固有の認証情報を取得する認証情報取得手段１４と、アプリケーションサーバ２０にデータ通信手段１２を用いてアクセスし、登録情報抽出手段１３が初期設定用２次元コードから抽出した登録情報と認証情報取得手段１４が取得した認証情報を、アプリケーションサーバ２０に対し送信して利用登録要求を行う利用登録要求手段１５を備えて構成されている。尚、本実施形態では、登録情報抽出手段１３、認証情報取得手段１４及び利用登録要求手段１５は、携帯電話機１０上で実行されることにより、これらの各手段を実現する利用登録用携帯プログラムによりソフトウェア的に構築されている。
【００２２】
また、携帯電話機１０は、携帯電話機１０の本来の機能として、通話機能（図示せず）、液晶画面等の表示装置１６、ＣＣＤカメラやＣＭＯＳカメラ等の撮像機能（図示せず）、入力操作を行うための操作キー（図示せず）、フラッシュメモリ等の不揮発性メモリ（図示せず）を備えて構成されている。
【００２３】
より詳細には、携帯電話機１０の２次元コード読み込み手段１１は、携帯電話機１０に搭載されている撮像機能（図示せず）から構成されている。データ通信手段１２は、携帯電話機１０の基地局（図示せず）及び通信ネットワーク４０を介してアプリケーションサーバ２０にアクセス可能に構成されている。
【００２４】
登録情報抽出手段１３は、撮像機能を用いて撮像された初期設定用２次元コードを解読して登録情報を抽出する。ここでの登録情報は、登録処理対象者に固有のＩＤ、及び、所属情報（企業における所属部署等）を想定している。認証情報取得手段１４は、携帯電話機１０の表示装置１６上に、認証情報の認証情報入力画面を表示し、該認証情報入力画面に入力された認証情報を取得する。ここでの認証情報は、アプリケーション２１別、登録処理対象者別に設定されたパスワードを想定している。
【００２５】
アプリケーションサーバ２０は、アプリケーション２１別に、アプリケーション２１を利用可能な登録者の登録情報及び認証情報を記憶した登録認証情報記憶手段２２と、登録処理対象者の携帯電話機１０からアプリケーション２１に対する利用登録要求があった場合に、利用登録要求を行った携帯電話機１０から登録処理対象者の登録情報及び認証情報を取得し、取得した登録情報及び認証情報を用いて登録処理対象者の登録処理を行う登録処理手段２３と、携帯電話機１０からアプリケーション２１に対するアクセス要求があった場合に、携帯電話機１０の携帯利用者の認証情報を取得し、取得した認証情報に基づいて登録認証情報記憶手段２２を検索して携帯利用者が利用登録されているか否かを判定し、登録されている場合に携帯利用者を認証する認証手段２４と、認証手段２４により携帯利用者が認証された場合に、アプリケーション２１の実行を許可する制御手段２５と、を備えて構成されている。本実施形態のアプリケーションサーバ２０は、通信ネットワーク４０を介して携帯電話機１０にアクセスするための通信インターフェース２６を備えている。尚、本実施形態では、登録処理手段２３、認証手段２４及び制御手段２５は、これらの各手段を実現する利用登録用サーバプログラムによりソフトウェア的に構築されている。登録認証情報記憶手段２２は、固定ディスク等の記憶装置で構成されている。また、本実施形態では、アプリケーション２１として、スケジューラやメール等を想定している。
【００２６】
本発明装置３０は、本発明システム１で用いる初期設定用２次元コードを作成する２次元コード作成装置であって、図１に示すように、本発明システム１を利用可能なシステム利用者毎に、システム利用者の登録情報を含むシステム利用者情報を入力する利用者情報入力手段３１と、システム利用者を認証する認証手段３２と、入力操作により、認証されたシステム利用者の初期設定用２次元コードの作成要求があった場合に、利用者情報入力手段３１からシステム利用者のシステム利用者情報を取得して、登録処理を行うアプリケーション２１またはアプリケーションサーバ２０におけるシステム利用者の登録情報を生成する登録情報生成手段３３と、システム利用者の登録情報を少なくとも含む初期設定用２次元コードを作成する２次元コード作成手段３４を備えて構成されている。尚、本実施形態の本発明装置３０は、パーソナルコンピュータ上で実行されることにより、上記各手段を実現する２次元コード作成プログラムによりソフトウェア的に構築されている。本実施形態の本発明装置３０は、更に、パーソナルコンピュータに搭載された液晶ディスプレイ等の表示装置（図示せず）上に、２次元コード作成手段３４が作成した２次元コードを表示する２次元コード表示手段３５を備えている。
【００２７】
次に、本発明システム１及び本発明装置３０の処理手順について図２及び図３を基に説明する。ここで、図２は、本発明システム１の処理手順の概要を示すフローチャートである。尚、本発明システム１は、図２に示すように、利用登録対象のアプリケーション２１に対する登録処理対象者の利用登録処理と、利用登録処理後にアプリケーション２１を利用するためのアプリケーション起動処理を実行するように構成されている。また、図３は、本発明装置３０における２次元コード作成処理の処理手順の概要を示すフローチャートである。尚、本実施形態では、アプリケーションサーバ２０には、予め利用登録が必要なアプリケーション２１が複数搭載されており、アプリケーション２１毎に、登録情報及び認証情報が設定されている場合を想定して説明する。
【００２８】
先ず、本発明システム１の利用登録処理の処理手順について図２を基に説明する。
【００２９】
携帯電話機１０は、入力操作により、利用登録されていないアプリケーション２１に対する利用登録要求の指示を受け付けると（ステップ＃１００）、携帯電話機１０の操作者に対し、初期設定用２次元コードの読み込み操作要求を行う。ここでは、携帯電話機１０は、表示装置１６上に初期設定用２次元コードの撮影を促すメッセージを表示し、撮像機能を起動する等して初期設定用２次元コードの読み込み操作要求を行う。２次元コード読み込み手段１１により、利用登録対象のアプリケーション２１の初期設定用２次元コード（本発明装置３０の２次元コード表示手段３５が、本発明装置３０の表示装置上に表示した初期設定用２次元コード）が読み込まれると（ステップ＃１０１）、携帯電話機１０は、登録情報抽出手段１３により、初期設定用２次元コードから登録情報を抽出し、携帯電話機１０に搭載されたメモリに登録する。続いて、携帯電話機１０は、認証情報取得手段１４により、表示装置１６上に認証情報の入力画面を表示する（ステップ＃１０２）。入力操作により、認証情報（パスワード等）が入力されると（ステップ＃１０３）、携帯電話機１０は、利用登録要求手段１５により、データ通信手段１２を用いてアプリケーションサーバ２０にアクセスして、利用登録対象のアプリケーション２１に対する利用登録要求を行う（ステップ＃１０４）。
【００３０】
アプリケーションサーバ２０は、携帯電話機１０から利用登録要求があると、登録処理手段２３により、利用登録要求を行った携帯電話機１０に対し、利用登録対象のアプリケーション２１における登録処理対象者の登録情報及び認証情報の要求を行う（ステップ＃２０１）。
【００３１】
携帯電話機１０は、アプリケーションサーバ２０から登録情報及び認証情報の要求があると、ステップ＃１０２において登録情報抽出手段１３が初期設定用２次元コードから抽出した登録情報と、ステップ＃１０３において認証情報取得手段１４が取得した認証情報を、データ通信手段１２を用いてアプリケーションサーバ２０に送信する（ステップ＃１０５）。
【００３２】
アプリケーションサーバ２０は、利用登録要求を行った携帯電話機１０から登録情報及び認証情報を受け付けると、登録処理手段２３により、登録処理対象者の登録情報及び認証情報を登録認証情報記憶手段２２に記憶して登録処理を行う（ステップ＃２０２）。本実施形態では、アプリケーションサーバ２０は、更に、制御手段２５により、利用登録が完了したアプリケーション２１を起動して携帯電話機１０に提供する（ステップ＃２０３）。
【００３３】
次に、本発明システム１のアプリケーション起動処理の処理手順について図２を基に説明する。
【００３４】
携帯電話機１０において、入力操作により、アプリケーション２１の起動要求が行われると、携帯電話機１０は、データ通信手段１２によりアプリケーションサーバ２０にアクセスして、起動要求対象のアプリケーション２１に対する起動要求を行う（ステップ＃１１０）。
【００３５】
アプリケーションサーバ２０は、携帯電話機１０から起動要求を受け付けると、認証手段２４により、起動要求を行った携帯電話機１０に対し、認証情報の要求を行う（ステップ＃２１１）。携帯電話機１０は、アプリケーションサーバ２０から認証情報の要求を受け付けると、認証情報取得手段１４により、携帯電話機１０に搭載された表示装置１６上に認証情報の入力画面を表示する。認証情報が入力されると、携帯電話機１０は、データ通信手段１２を用いて、アプリケーションサーバ２０に認証情報を送信する（ステップ＃１１１）。アプリケーションサーバ２０は、携帯電話機１０から認証情報を受け付けると、登録認証情報記憶手段２２を検索して認証情報が記憶されているか否かを確認する。
【００３６】
アプリケーションサーバ２０の認証手段２４は、受け付けた認証情報が登録認証情報記憶手段２２に記憶されていない場合（ステップ＃２１２でＮＧ分岐）、再度、携帯電話機１０に対し認証情報を要求する。尚、ステップ＃２１２における認証処理が規定回数以上（例えば３回以上）連続して失敗した場合は、アプリケーション起動処理を中断し、携帯電話機１０の表示装置１６上に認証失敗のエラーメッセージを表示させ、携帯電話機１０の一定期間（例えば２４時間）内におけるアプリケーション起動処理の実行を禁止する。アプリケーションサーバ２０の認証手段２４は、受け付けた認証情報が登録認証情報記憶手段２２に記憶されている場合（ステップ＃２１２でＯＫ分岐）、起動要求対象のアプリケーション２１を起動して携帯電話機１０に提供する（ステップ＃２１３）。
【００３７】
本発明装置３０の２次元コード作成処理の処理手順について図３を基に説明する。
【００３８】
本発明装置３０は、入力操作により、利用登録されていないアプリケーション２１に対する利用登録を行うための２次元コードの作成要求が入力されると、登録処理対象者が本発明システム１を利用可能なシステム利用者であるか否かを確認するために、本発明装置３０の表示装置（図示せず）上に、登録処理対象者の２次元コード作成用認証情報の入力画面を表示する（ステップ＃３０１）。ここでの２次元コード作成用認証情報は、２次元コード作成用ＩＤ及び２次元コード作成用パスワードである。本発明装置３０は、２次元コード作成用認証情報が入力されると、認証手段３２により、入力された２次元コード作成用認証情報に基づいて、登録処理対象者がシステム利用者であるか否かを認証する。本発明装置３０は、認証手段３２により、登録処理対象者がシステム利用者ではないと判定された場合は（ステップ＃３０２でＮＧ分岐）、再度、本発明装置３０の表示装置上に、登録処理対象者の２次元コード作成用認証情報の入力画面を表示する（ステップ＃３０１）。尚、ステップ＃３０２における認証処理が規定回数以上（例えば３回以上）連続して失敗した場合は、失敗した認証処理で用いた２次元コード作成用ＩＤを持つ登録処理対象者に対し、一定期間（例えば２４時間）内における２次元コードの作成処理を禁止する。
【００３９】
認証手段３２により、登録処理対象者がシステム利用者であると判定された場合は（ステップ＃３０２でＯＫ分岐）、本発明装置３０は、利用者情報入力手段３１により、本発明装置３０の表示装置上に、利用登録対象のアプリケーション２１を選択するための選択画面を表示する。本発明装置３０は、利用登録対象のアプリケーション２１が選択されると、利用登録対象のアプリケーション２１に対応する登録処理対象者の登録情報を含むシステム利用者情報の入力画面を表示する。システム利用者情報が、例えば、利用者の入力操作等により入力されると（ステップ＃３０３）、本発明装置３０は、登録情報生成手段３３により、入力されたシステム利用者情報を用いて登録情報を作成する（ステップ＃３０４）。引き続き、本発明装置３０は、２次元コード作成手段３４により、登録処理対象者の登録情報を含む初期設定用２次元コードを作成し（ステップ＃３０５）、２次元コード表示手段３５により、本発明装置３０の表示装置上に、初期設定用２次元コードを表示する（ステップ＃３０６）。ここで、図４は、初期設定用２次元コードの一表示例を示している。これを携帯電話機１０で撮影して読み込むことにより、上述した利用登録処理が可能になる。
【００４０】
〈第２実施形態〉
本発明システム１及び本発明装置３０の第２実施形態について図１乃至図４を基に説明する。尚、本実施形態では、初期設定用２次元コードが、アプリケーションサーバ２０（利用登録対象のアプリケーション２１）にアクセスするためのＵＲＬ情報を含む場合について説明する。
【００４１】
本実施形態の携帯電話機１０は、登録情報抽出手段１３が、初期設定用２次元コードから、登録情報に加え、ＵＲＬ情報を取得して携帯電話機１０のメモリに登録するように構成され、データ通信手段１２は、メモリ上に登録されたＵＲＬ情報が示すアドレスに基づいて、利用登録対象のアプリケーション２１を備えるアプリケーションサーバ２０にアクセスする。
【００４２】
本実施形態の本発明装置３０は、２次元コード作成手段３４が、システム利用者の登録情報に加え、アプリケーションサーバ２０の利用登録対象のアプリケーション２１にアクセスするためのＵＲＬ情報を含む初期設定用２次元コードを作成するように構成されている。
【００４３】
続いて、本実施形態における利用登録処理及び２次元コード作成処理の処理手順について図２及び図３を基に説明する。尚、アプリケーション起動処理の処理手順は、上記第１実施形態と同様である。
【００４４】
先ず、本実施形態における利用登録処理の処理手順について図２を基に説明する。
【００４５】
携帯電話機１０は、利用登録されていないアプリケーション２１に対する利用登録要求の指示を受け付けると（ステップ＃１００）、２次元コード読み込み手段１１により利用登録対象のアプリケーション２１の初期設定用２次元コードが読み込まれると（ステップ＃１０１）、登録情報抽出手段１３により、初期設定用２次元コードから登録情報とＵＲＬ情報を抽出し、携帯電話機１０に搭載されたメモリに登録する。
【００４６】
続いて、携帯電話機１０は、認証情報取得手段１４により、表示装置１６上に認証情報の入力画面を表示し（ステップ＃１０２）、入力操作により認証情報が入力されると（ステップ＃１０３）、携帯電話機１０は、データ通信手段１２により、初期設定用２次元コードから抽出したＵＲＬ情報に基づいて、アプリケーションサーバ２０にアクセスする。携帯電話機１０は、利用登録要求手段１５により、アプリケーションサーバ２０に対し、利用登録対象のアプリケーション２１についての利用登録要求を行う（ステップ＃１０４）。
【００４７】
アプリケーションサーバ２０は、携帯電話機１０から利用登録要求があると、登録処理手段２３により、利用登録要求を行った携帯電話機１０に対し、利用登録対象のアプリケーション２１における登録処理対象者の登録情報及び認証情報の要求を行う（ステップ＃２０１）。携帯電話機１０は、アプリケーションサーバ２０から登録情報及び認証情報の要求があると、登録情報と認証情報を、データ通信手段１２を用いてアプリケーションサーバ２０に送信する（ステップ＃１０５）。アプリケーションサーバ２０は、利用登録要求を行った携帯電話機１０から登録情報及び認証情報を受け付けると、登録処理手段２３により、登録処理対象者の登録情報及び認証情報を登録認証情報記憶手段２２に記憶して登録処理を行う（ステップ＃２０２）。本実施形態では、上記第１実施形態と同様に、アプリケーションサーバ２０は、更に、制御手段２５により、利用登録が完了したアプリケーション２１を起動して携帯電話機１０に提供する（ステップ＃２０３）。
【００４８】
本実施形態における２次元コード作成処理の処理手順について図３を基に説明する。
【００４９】
本発明装置３０は、入力操作により、利用登録されていないアプリケーション２１に対する利用登録を行うための２次元コードの作成要求が入力されると、認証手段３２により、登録処理対象者がシステム利用者であるか否かの認証処理を行う（ステップ＃３０１、ステップ＃３０２）。本発明装置３０は、認証手段３２により、登録処理対象者がシステム利用者ではないと判定された場合は（ステップ＃３０２でＮＧ分岐）、規定回数（例えば３回）まで認証処理を実行し、更に、認証に失敗した場合は、失敗した認証処理で用いた２次元コード作成用ＩＤを持つ登録処理対象者に対し、一定期間（例えば２４時間）内における２次元コードの作成処理を禁止する。
【００５０】
認証手段３２により、登録処理対象者がシステム利用者であると判定された場合は（ステップ＃３０２でＯＫ分岐）、本発明装置３０は、本発明装置３０の表示装置上に、利用登録対象のアプリケーション２１を選択するための選択画面を表示する。本発明装置３０は、利用登録対象のアプリケーション２１が選択されると、利用者情報入力手段３１により、利用登録対象のアプリケーション２１に対応する登録処理対象者の登録情報を含むシステム利用者情報の入力画面を表示する。システム利用者情報が入力されると（ステップ＃３０３）、本発明装置３０は、登録情報生成手段３３により、入力されたシステム利用者情報を用いて登録情報を作成すると共に、利用登録対象のアプリケーション２１のＵＲＬ情報を作成する（ステップ＃３０４）。引き続き、本発明装置３０は、２次元コード作成手段３４により、登録処理対象者の登録情報に加え、ＵＲＬ情報を含む初期設定用２次元コードを作成し（ステップ＃３０５）、２次元コード表示手段３５により、本発明装置３０の表示装置上に、初期設定用２次元コードを表示する（ステップ＃３０６）。表示された初期設定用２次元コードを携帯電話機１０で撮影して読み込むことにより、上述した利用登録処理が可能になる。
【００５１】
〈別実施形態〉
〈１〉上記第１及び第２実施形態において、アプリケーションサーバ２０を、利用登録処理におけるステップ＃２０２の登録処理前に、携帯電話機１０から送信された登録情報及び認証情報を用いて、登録処理対象者が本発明システム１を利用可能なシステム利用者であるか否かの確認処理を行うように構成し、登録処理対象者がシステム利用者ではない場合に、登録処理を拒否、または、アプリケーションサーバ２０の管理者に通知等するように構成しても良い。このように構成すれば、不正利用者によるアプリケーションサーバ２０に対する不正利用を効果的に防止して安全性を高めることが可能になる。
【００５２】
〈２〉上記第１及び第２実施形態において、携帯電話機１０を、アプリケーション起動処理におけるステップ＃１１１の認証情報の送信処理時に、認証情報に携帯電話機１０のメモリに登録された登録情報の一部または全部を選択的に加えたデータを、アプリケーションサーバ２０に対し送信するように構成し、アプリケーションサーバ２０を、アプリケーション起動処理のステップ＃２０２において、認証情報に携帯電話機１０から送信された登録情報の一部または全部を組み合わせて、認証処理を実行するように構成しても良い。このように構成すれば、アプリケーション２１の不正利用をより確実に防止することが可能になる。
【００５３】
〈３〉上記第１実施形態では、登録情報を含む初期設定用２次元コードを、上記第２実施形態では、登録情報及びＵＲＬ情報を含む初期設定用２次元コードを利用する場合について説明したが、初期設定用２次元コードは、他の情報、例えば、初期設定用２次元コードの作成日時や、アプリケーション２１の使用期限等の情報を含んで構成されていても良い。また、アプリケーションサーバ２０を、これらの情報に基づいて登録処理の可否を判定するように構成しても良い。
【００５４】
更に、上記第１及び第２実施形態では、登録情報として、登録処理対象者に固有のＩＤ及び登録処理対象者の所属情報を想定し、認証情報として、アプリケーション２１別、登録処理対象者別に設定されたパスワードを想定して説明したが、これに限るものではない。登録情報としては、例えば、登録処理対象者の連絡先としての携帯番号やメールアドレス等を含めても良いし、これらの情報から、アプリケーション２１のサービス内容に応じて必要な情報を選択するように構成しても良い。また、認証情報についても同様に、他の情報を含めても良い。
【００５５】
また、登録情報及び認証情報は、アプリケーションサーバ２０内の全てのアプリケーション２１で共通のものを使用するように構成しても良い。この場合には、複数のアプリケーション２１に対する利用登録を同時に実施可能に構成しても良い。
【００５６】
〈４〉上記第１及び第２実施形態では、アプリケーションサーバ２０が、複数のアプリケーション２１を実行可能に構成されている場合を想定して説明したが、単一のアプリケーション２１を実行するように構成されていても良い。
【００５７】
〈５〉上記第１及び第２実施形態では、本発明装置３０の利用者情報入力手段３１を、ステップ＃３０３において、本発明装置３０上で実行された入力操作によりシステム利用者情報を取得するように構成したが、これに限るものではない。本発明装置３０の利用者情報入力手段３１は、例えば、新たにシステム利用者を登録する際等に、該システム利用者のシステム利用者情報を入力するように構成しても良い。この場合には、例えば、システム利用者毎に、入力されたシステム利用者情報を所定の記憶手段に記憶しておき、ステップ＃３０３において登録情報を作成する際に、登録情報生成手段３３が、必要な情報を該記憶手段から抽出して登録情報を作成するように構成しても良い。
【図面の簡単な説明】
【００５８】
【図１】本発明に係る登録処理システム及び２次元コード作成装置の概略構成を示す概略ブロック図
【図２】本発明に係る登録処理システムにおける登録処理の処理手順を示すフローチャート
【図３】本発明に係る２次元コード作成装置における初期設定用２次元コードの作成手順を示すフローチャート
【図４】本発明に係る２次元コード作成装置の表示画面の一例を示す概略説明図
【符号の説明】
【００５９】
１    本発明に係る登録処理システム
１０  携帯電話機
１１  ２次元コード読み込み手段
１２  データ通信手段
１３  登録情報抽出手段
１４  認証情報取得手段
１５  利用登録要求手段
１６  表示装置
２０  アプリケーションサーバ
２１  アプリケーション
２２  登録認証情報記憶手段
２３  登録処理手段
２４  認証手段
２５  制御手段
２６  通信インターフェース
３０  本発明に係る２次元コード作成装置
３１  利用者情報入力手段
３２  認証手段
３３  登録情報生成手段
３４  ２次元コード作成手段
３５  ２次元コード表示手段
４０  通信ネットワーク
【図１】
2008191733.tif 000003
【図２】
2008191733.tif 000004
【図３】
2008191733.tif 000005
【図４】
2008191733.tif 000006